(57)【要約】  耳に安定して装着するための、耳ユニットと呼ばれる装置、であって、前記耳ユニット（１０）は、減衰カーブの形状を有しており、減衰カーブの端部（５、８）の間の距離は、耳の耳珠（４）の下に形成された第１空洞部と、耳の対耳輪の下方の節（１５）によって覆われている第２空洞部と、の間の距離と、おおよそ等しくなっており、カーブの上方部分は、第２空洞部の下方部分を覆っている皮片（２）の下側に突出しており、前記イヤーピースは、湾曲部を有しており、前記湾曲部が、耳介（２２）の底部へ続いている、改良された装着具をもたらしていることを特徴とする、装置である。耳ユニット（１０）は、下方に延びている部分（Ｔ）を任意には備えており、前記部分（Ｔ）とイヤーピースとの間の移行部分が、珠間切痕（１４）と並ぶよう形成されている。耳ユニットは、イヤホン及びマイクロホンを含むグループの中からの、少なくとも１つのユニットを備えて、任意には設けられている。耳ユニットは、移動式ピース及び同様のものと共に使用するための無線通信ユニット、及び、音楽システム及び同様のものと共に使用するための有線通信ユニット、を含むグループの中からの、１つのユニットを備えて、任意には設けられている。前記耳ユニット（１０）は、耳ユニット（１０）が耳内に配置されたときに、耳介（２２）の底部に沿って続く、湾曲部（２１）を備えて、配置されており、また、前記耳ユニット耳内に配置されたときに、珠間切痕１４内に配置される、切り込み（２０）を備えて、任意に配置されている。これは、更なる安定性をもたらし、それにより快適さが増加させる。
2010530659.tif 000002
【特許請求の範囲】
【請求項１】
耳に安定して装着するための、耳ユニットと呼ばれる装置、であって、
前記耳ユニット（１０）は、減衰カーブの形状を有しており、
減衰カーブの端部（５、８）の間の距離は、耳の耳珠（４）の下に形成された第１空洞部と、耳の対耳輪の下方の節（１５）によって覆われている第２空洞部と、の間の距離と、おおよそ等しくなっており、
カーブの上方部分は、第２空洞部の下方部分を覆っている皮片（２）の下側に突出しており、
前記イヤーピースは、湾曲部を有しており、前記湾曲部が、耳介（２２）の底部へ続いている、改良された装着具をもたらしている、
ことを特徴とする、装置。
【請求項２】
耳ユニット（１０）が、下方に延びている部分（７）を備えており、
前記部分（７）とイヤーピースとの間の移行部分が、珠間切痕（１４）と並ぶよう形成されている、
ことを特徴とする、請求項１に記載の装置。
【請求項３】
イヤーピースが、イヤホン及びマイクロホンを含むグループの中からの、少なくとも１つのユニットを備えて、設けられている、
ことを特徴とする、請求項１又は２に記載の装置。
【請求項４】
前記イヤーピースが、移動式ピース及び同様のものと共に使用するための無線通信ユニット、及び、音楽システム及び同様のものと共に使用するための有線通信ユニット、を含むグループの中からの、１つのユニットを備えて、設けられている、
ことを特徴とする、請求項１〜３の何れか１つに記載の装置。
【請求項５】
前記耳ユニットが、ステレオ効果を形成するための、少なくとも第２のイヤー装置と共に、作動する、
ことを特徴とする、請求項１〜４の何れか１つに記載の装置。
【発明の詳細な説明】
【技術分野】
【０００１】
本発明は、請求項１の前文に開示されているような、耳への取り外し可能な装着のための装置、に関するものである。
【背景技術】
【０００２】
電話、音楽システム、スイッチボード等への、無線の又は有線の、マイクロホン／イヤーピースの接続は、周知である。しかしながら、そのような公知の装置は、イヤーピース用の耳当て部、及び、該耳当て部に取り付けられたマイクロホンを、頻繁に使用する。そのような装置は、使用していないときに、ポケット、バッグ、又は同様のものの中に、簡単に収容できるような形状を有しているため、移動式装置と共に使用するのにあまり適していない。
【先行技術文献】
【特許文献】
【０００３】
【特許文献１】米国特許第６，１２２，３８８号
【特許文献２】米国特許第５，６５９，１５６号
【特許文献３】米国特許第５，９４３，６２７号
【特許文献４】独国実用新案第２７，７１８，４８３号
【特許文献５】ノルウェー特許第３１２９０９号
【発明の概要】
【発明が解決しようとする課題】
【０００４】
従来技術として、米国特許第６，１２２，３８８号及び米国特許第５，６５９，１５６号が挙げられる。これらは、プラグが外耳道内に挿入されるイヤーモールド装置であって、補聴装置において、典型的に使用されている。これらは、安定した位置決め及び快適な使用のために、それぞれが使用者に適合しなくてはならないため、大量生産に適していない。これは、特に、耳栓を挿入する耳の空間部が、人によって異なるためである。また、耳の外側部分も、人によって異なっているが、大きな差違ではない。従って、その差違は、耳の外側形状に合わせた、たった２又は３種類の異なる大きさの耳ユニットの装着具を、使用することによって、解消される。
【０００５】
また、耳栓は、外耳道をブロックし、使用者に不快感を与える。更に、耳垢の自然産生を避けることはできないので、定期的に耳を洗浄する必要がある。
【０００６】
マイクロホン内蔵のイヤーピースに関して、米国特許第５，９４３，６２７号が、挙げられる。装着するのに耳の外側部分を使用している、歩行者用イヤーピース及び同様のものが、公知であるが、これらは、円形状を有しており、また、装着するのに耳の外側の空洞部の下方部分のみを利用しており、耳の大きさの小さな違いによって、前記イヤーピースが特にうまくフィットしないことがある。
【０００７】
独国実用新案第２７，７１８，４８３号が更に挙げられる。これでは、装着具を固定するために、内側クランプが、耳の空洞部の内側部分に向かって、フープ（hoop）を外向きに押している。不利点は、持続して加えられる外向きの圧力であり、それは、時間とともに不快感をもたらす。
【０００８】
最後に、本出願人が所有するノルウェー特許第３１２９０９号が更に挙げられる。これでは、珠間切痕において耳ユニットから延びている一部分によって、更なる安定性が確保されながら、耳の耳珠の下に配置された大きいＣ形状の耳ユニットの、接続によって、快適な装着具が、達成されている。
【０００９】
従来技術に基づいて、本発明の目的は、これらの不利点及び制約を回避すること、また、同時に、更なる機能の可能性を備えた耳ユニットに対し、更に向上した安定性及び快適な装着を、もたらすことである。
【課題を解決するための手段】
【００１０】
本発明は、請求項１に記載の装置によって、もたらされる。本発明の更なる特徴は、残りの従属請求項に、記載されている。
【００１１】
外耳道を閉じる又はブロックするユニットと比較したときに、耳ユニットの形状は、向上した快適さのために、外耳道が外側周辺向きにある程度開いているのを維持する。
【図面の簡単な説明】
【００１２】
【図１】下方に延びている部分と共にカーブを備えた、耳の概略図である。
【図２】マイクロホン装置を備えた、本発明の耳ユニットの図である。
【図３】耳ユニットが耳介（ear mussel）と密着するのを可能にする湾曲部を備えた、本発明の耳ユニットの図である。
【図４】図３の湾曲部を反対側から示し、且つ、珠間切痕に快適に安定するような形状を有する切り込みを示す、図である。
【図５】耳介と密着した湾曲部と、珠間切痕内に安定して配置された切り込みと、耳ユニットから下方に延びている部分と、を備えた、本発明の一実施形態の図である。
【発明を実施するための形態】
【００１３】
本発明の実施形態は、図面を参照して、以下に開示されている。
【００１４】
図１は、減衰カーブ１が書き込まれた、耳を、概略的に示している。図示されるように、耳ユニットの外周部分は、耳の外側部分によって、耳内に保持されている。耳の外側部分とは、例えば、珠間切痕１４を除く、耳の、対耳輪１３の下方部分、対珠３、耳珠４、及び、下方へ延びた部分７である。カーブ部分は、耳の外側から見た場合に、対耳輪１３の内側に位置しており、それ故、見えない。
【００１５】
本発明では、外耳の大半の部分が利用されており、使用者に対し、従来の公知の解決法以上の快適さを提供しながら、高い安定性を達成している。また、本発明は、対耳輪１３の上方部分と、対耳輪の下方の節（node）１５によって覆われている空洞部と、頭部近くの耳の外側部分によって前記空洞部を覆っている皮片（flap）２と、を利用している。
【００１６】
本発明の耳ユニット１０は、図２に概略的に示されており、マイクロホン６と、接触点１１において耳ユニット１０に連結されている任意のマイクロホンロッド１２と、を備えている。前記マイクロホンロッドは、マイクロホン６と、耳ユニット１０に配置された送受信装置との間の、接続部を、構成している。送受信装置のための電源は、耳ユニット内に任意に配置でき、例えば耳ユニット１０の下方部分７に、例えば再充電可能なバッテリーを、例えば小型のペンライト電池の形態で、任意に配置できる。ペンライト電池は、例えばその形状及び重量のために、（珠間切痕１４によって）耳の空洞部の下方部分の踊り場地点において形成された回転軸に対して、低い重心となる。このことは、使用者の動作中において、耳ユニット１０の動的安定性を増加させるのを、助ける。重心が、高すぎて、急な動作によって使用者にあらゆる求心力が引き起こされる場合、耳ユニット１０は、前記記載の位置から引き抜かれることになる。無線部分のアンテナは、例えばマイクロホンロッドに、配置されてもよい。
【００１７】
耳ユニット１０は、ある形状の表面を備えた対耳輪１３に対応する、耳ユニットの外側部分の減衰カーブ９を、備えており、その表面の形状は、カーブが、対耳輪１３の内部分に沿って下がり、且つ、耳の対珠３の下に部分的に位置するような、形状である。任意の下方部分７は、カーブから延びており、耳の珠間切痕１４に多少なりとも位置することにより、耳ユニット１０の正確な配置のための、ガイド及び重量を、もたらしている。カーブの上方部分は、対耳輪の下方の節１５によって覆われた空洞部内に突出しており、また、前記空洞部の下方部分を覆っている皮片２の下方に突出している。減衰カーブの形状の接触線が、ほぼ全員の耳に適合することは、調査により明らかになっている。
【００１８】
耳ユニット１０の使用によって、空間が、外周部１６と耳の壁との間に、形成されている。このことは、カーブの端部５、８が、耳ユニット１０のケースから突出していることを、示している。同様に、補聴要素を備えている耳ユニット１０の部分は、カーブに対して僅かに引っ込んでおり、それにより、補聴要素が耳道に直接的に接触しないことを確保し、耳道と周辺部分との間に空間を形成するのを、可能にする。
【００１９】
耳ユニット１０は、耳ユニット１０が耳内に配置されたときに、耳介２２の内部表面に沿って続く、湾曲部２１を備えて、形成されている。この接触面は、より広い部分が耳介に対して置かれるため、更なる安定性をもたらし、それにより快適さが増加する。
【００２０】
耳ユニット１０は、耳ユニット１０が耳内に配置されたときに、それ自体が珠間切痕１４内に配置されるように、切り込み２０によって、任意に配置されている。この切り込みは、更なる安定性をもたらし、快適さを増加させる。
【００２１】
図２は、切り込み２０を有する、下向きに延びている部分７を備えた、本発明の典型的な一実施形態を示しており、耳ユニット１０が耳内に配置されたときに、前記下向きの突出部分が、珠間切痕１４と並ぶのを確保している。
【００２２】
図３は、湾曲部２１が明確に示されるように、外側から見たイヤーピース１０を示している。
【００２３】
図４及び図５は、切り込み２０が明確に示されるように、異なる２つの角度から見たイヤーピースを示している。
【図１】
2010530659.tif 000003
【図２】
2010530659.tif 000004
【図３】
2010530659.tif 000005
【図４】
2010530659.tif 000006
【図５】
2010530659.tif 000007
【国際調査報告】
2010530659.tif 000008
2010530659.tif 000009